(57)【要約】多機能歯科用口外Ｘ線撮像システムは、従来型のＸ線源と、平行移動及び回転によってＸ線源の動作を制御するマニピュレータと、リアルタイム複合的フレーム生成Ｘ線撮像素子と、少なくとも二の異なる照射プロファイルプログラムとを含み、このようなプロファイルのうちの一つは、標準のパノラマ画像を生成するのに対し、このようなプロファイルのもう一つは、パノラマ画像に対して角度のある又は横方向のスライスを生成する。第３の照射プロファイルプログラムは、二つ（一つは頭の右側、一つは頭の左側）の線形なプロジェクションを組み合わせることにより、人の頭蓋骨の実質的に線形なプロジェクションを生成する。センサは、好ましくは、フレームモードにおける線形直接変換であり、１００ｆｐｓ以上生成する。【選択図】図１ａ
2011513017.tif 000002
【特許請求の範囲】
【請求項１】
ａ）照射中に対象物を撮像するために、前記対象物にＸ線を照射するＸ線源と、
ｂ）前記照射の少なくとも一部の期間における複合的な放射された画像フレームの生成に適するＸ線撮像素子であって、長寸法（ｍ）及び短寸法（ｎ）の活性領域を有し、前記短寸法に対する前記長寸法の比が１．５よりも大きい又は等しい（ｍ／ｎ≧１．５）Ｘ線撮像素子と、
ｃ）前記照射中に、複数の連続した放射された画像フレームに対応する複数の位置の間のパスに沿って、前記撮像素子及び前記Ｘ線源を移動するマニピュレータであって、選択的平行移動と、前記Ｘ線源の焦点及び前記Ｘ線撮像素子の間に位置する少なくとも一の回転軸まわりの選択的回転と、によって前記Ｘ線源及び前記撮像素子の両方の移動を可能にするマニピュレータと、
ｄ）関心のあるサブボリュームの画像を生成する照射プロファイルプログラムと、
を備え、
前記プロファイルは、β／α＞２．１の関係を満足する角度範囲βで前記Ｘ線撮像素子に投影された、前記関心のあるサブボリューム内の、前記点の大部分を有することによって定義され（ここで、αは、前記Ｘ線焦点から見たときの前記Ｘ線撮像素子の角度である）、
前記画像は、ｉ）前記サブボリュームの局所的な３Ｄ容積測定画像、及び（ｉｉ）前記サブボリュームのパノラマ層画像に対して一の角度をなすスライス画像のうちの一方である
ことを特徴とする口外歯科用Ｘ線撮像システム。
【請求項２】
一の角度における前記スライスは、前記関心領域における前記パノラマ層に対して約９０度（±２０度）の角度の横方向のスライスであることを特徴とする請求項１に記載の口外歯科用Ｘ線撮像システム。
【請求項３】
前記照射プロファイルプログラムは、前記マニピュレータに、平行移動と回転運動の組み合わせを提供するように指示することを特徴とする請求項１に記載の口外歯科用Ｘ線撮像システム。
【請求項４】
前記Ｘ線撮像素子は、少なくとも毎秒１００フレームを生成するように動作することを特徴とする請求項１に記載の口外歯科用Ｘ線撮像システム。
【請求項５】
ａ）撮像される対象物にＸ線を照射するＸ線源と、
ｂ）前記照射の少なくとも一部の期間における複合的なフレームの生成に適するＸ線撮像素子であって、ｍ／ｎ≧１．５である長寸法ｍ及び短寸法ｎの活性領域を有するＸ線撮像素子と、
ｃ）照射中に、連続した放射されたフレームの間のパスに沿って前記撮像素子を移動するマニピュレータであって、選択的平行移動と、前記Ｘ線源の焦点及び前記Ｘ線撮像素子間に位置する少なくとも一の回転軸まわりの選択的回転と、によって前記Ｘ線源及び前記撮像素子の移動を可能にするマニピュレータと、
ｄ）前記撮像される対象物の少なくとも一部に係る実質的に線形なプロジェクションを生成する照射プロファイルプログラムであって、ｉ）少なくとも二つの、実質的に線形なセクションと、ｉｉ）最も近い撮像される対象物の側面までの前記撮像素子の距離が、わずか２０ｃｍである期間における、実質的に線形なセクションと、の一方を備える照射プロファイルプログラムと
を備えることを特徴とする口外歯科用Ｘ線撮像システム。
【請求項６】
前記照射プロファイルプログラムは、少なくとも二つの、実質的に線形なセクションを備えることを特徴とする請求項５に記載のシステム。
【請求項７】
前記Ｘ線源の焦点までの前記撮像素子の距離は、わずか１．５ｍであり、
前記照射プロファイルプログラムは、最も近い撮像される対象物の側面までの前記撮像素子の距離が、わずか２０ｃｍである期間における、実質的に線形なセクションを備える
ことを特徴とする請求項５に記載のシステム。
【請求項８】
前記Ｘ線源の焦点までの前記撮像素子の距離は、好ましくは、わずか０．７ｍであり、
前記照射中における、最も近い撮像される対象物の側面までの前記撮像素子の距離は、好ましくは、わずか１０ｃｍである
ことを特徴とする請求項５に記載の口外歯科用Ｘ線撮像システム。
【請求項９】
前記実質的に線形なプロジェクションは、頭部測定プロジェクションであることを特徴とする請求項５に記載の口外歯科用Ｘ線撮像システム。
【請求項１０】
前記プロファイルは、前記二つの線形なセクションを結合する部分的な回転セクションを備えることを特徴とする請求項６に記載の口外歯科用Ｘ線撮像システム。
【請求項１１】
前記照射プロファイルプログラムは、前記実質的に線形なパスセクションの期間中のみ前記撮像される対象物がＸ線に照射されると規定することを特徴とする請求項５に記載の口外歯科用Ｘ線撮像システム。
【請求項１２】
完全な実質的に線形なプロジェクション画像を生成するために、前記パスにおける前記実質的に線形なセクションの各々に関して作成された前記部分的画像同士結合するプロセッサを更に備えることを特徴とする請求項５に記載の口外歯科用Ｘ線撮像システム。
【請求項１３】
対象物の関心領域に係る部分的なＣＴ又は部分的な３Ｄ画像を実行する口外歯科用Ｘ線撮像システムであって、
ａ）照射中に対象物を撮像するために、前記対象物にＸ線を照射するＸ線源と、
ｂ）前記照射の少なくとも一部の期間における複合的な放射された画像フレームの生成に適するＸ線撮像素子と、
ｃ）前記照射中に、複数の放射された画像フレームに対応する複数の位置の間のパスに沿って、前記撮像素子及び前記Ｘ線源を移動するマニピュレータであって、選択的平行移動と、前記Ｘ線源の焦点及び前記Ｘ線撮像素子の間に位置する少なくとも一の回転軸まわりの選択的回転と、によって前記Ｘ線源及び前記撮像素子の両方の移動を可能にするマニピュレータと、
ｄ）前記関心領域に関する部分的なＣＴ又は３Ｄ画像を生成する照射プロファイルプログラムと
を備え、
前記プロファイルは、前記照射の少なくとも一部の期間において、回転に係る前記軸が一の軌道に沿って移動可能であることを特徴とする
ことを特徴とする口外歯科用Ｘ線撮像システム。
【請求項１４】
回転に係る前記移動可能な軸の前記軌道は、螺旋であることを特徴とする請求項１３に記載の口外歯科用Ｘ線撮像システム。
【請求項１５】
回転に係る前記移動可能な軸の前記軌道は、円であることを特徴とする請求項１３に記載の口外歯科用Ｘ線撮像システム。
【請求項１６】
回転に係る前記移動可能な軸の前記軌道は、数字の８の形状を有することを特徴とする請求項１３に記載の口外歯科用Ｘ線撮像システム。
【請求項１７】
回転に係る前記移動可能な軸の前記軌道は、「Ｓ」形状を有することを特徴とする請求項１３に記載の口外歯科用Ｘ線撮像システム。
【請求項１８】
前記Ｘ線源の焦点及び前記撮像素子の中点を結ぶ直線は、回転に係る前記移動可能な軸の前記軌道に対して接線方向であることを特徴とする請求項１３に記載の口外歯科用Ｘ線撮像システム。
【請求項１９】
前記Ｘ線源の焦点及び前記撮像素子の中点を結ぶ直線は、回転に係る前記移動可能な軸の前記軌道に対する接線方向から±４５度以内であることを特徴とする請求項１３に記載の口外歯科用Ｘ線撮像システム。
【請求項２０】
撮像される対象物にＸ線を照射するＸ線源と、前記照射の少なくとも一部の期間における複合的な放射された画像フレームの生成に適するＸ線撮像素子であって、ｍ／ｎ≧１．５である長寸法ｍ及び短寸法ｎの活性領域を有するＸ線撮像素子と、前記照射中に、連続した放射されたフレームの間のパスに沿って、前記撮像素子を移動するマニピュレータであって、選択的平行移動、及び／又は、前記Ｘ線源の焦点と前記Ｘ線撮像素子との間に位置する少なくとも一の回転軸まわりの選択的回転、によって前記Ｘ線源及び前記撮像素子の移動を可能にするマニピュレータと、を備えたシステムのような口外歯科用撮像システムにおいて、局所的な３Ｄ容積測定画像又は角度のついたスライス画像を実行する方法であって、  ボクセル値に係るベクトルｘを規定し、
プロジェクションに係るベクトルｙを規定し、
重みに係る行列Ｗを規定し、
第１のステップにおいて重み行列Ｗを形成し、
第２のステップにおいてボクセル値ｘに関する初期推定値を準備し、
第３の反復ステップにおいてｘに関する現在値を求め、
第４の反復ステップにおいて誤差が十分に小さいか否かを決定し、
第５の反復ステップにおいて前記誤差を減らすように新たな推定値を計算し、
第６の反復ステップにおいてｘと十分に小さい値とを比較し、
第７のステップにおいてｘ又はｘの一部を、最終画像又は最終画像の一部として表示する
ことを特徴とする方法。
【請求項２１】
撮像される対象物にＸ線を照射するＸ線源と、前記照射の少なくとも一部の期間における複合的な放射された画像フレームの生成に適するＸ線撮像素子であって、ｍ／ｍ≧１．５である長寸法ｍ及び短寸法ｎの活性領域を有するＸ線撮像素子と、前記照射中に、連続した放射されたフレームの間のパスに沿って、前記撮像素子を移動するマニピュレータであって、選択的平行移動、及び／又は、前記Ｘ線源の焦点と前記Ｘ線撮像素子との間に位置する少なくとも一の回転軸まわりの選択的回転、によって前記Ｘ線源及び前記撮像素子の移動を可能にするマニピュレータと、を備えたシステムのような口外歯科用撮像システムにおいて、人の頭蓋骨又は人の頭蓋骨の一部の、頭部計測プロジェクション又は線形なプロジェクションを実行する方法であって、
第１のステップにおいて、前記撮像素子に対して平行な前記対象物の中の異なる複数の層を計算し、
第２のステップにおいて、前記撮像素子からの各層の異なる距離に起因して、前記異なる倍率に関する前記異なる複数の層を補正し、
第３のステップにおいて、画像を形成するために、前記補正された複数の層、又は前記補正された複数の層の一部を合計し、
第４のステップにおいて、前記画像を表示する
ことを特徴とする方法。
【請求項２２】
パノラマ層に対して角度のついたスライスを得るために、口外歯科用Ｘ線撮像を実行する方法であって、
ａ）撮像される対象物にＸ線を照射するＸ線源を提供し、
ｂ）前記照射の少なくとも一部の期間における複合的な放射された画像フレームの生成に適するＸ線撮像素子であって、ｍ／ｎ≧１．５である長寸法ｍ及び短寸法ｎの活性領域を有するＸ線撮像素子を提供し、
ｃ）前記照射中に、連続した放射されたフレームの間のパスに沿って、前記撮像素子を移動するマニピュレータであって、選択的平行移動と、前記Ｘ線源の焦点及び前記Ｘ線撮像素子間に位置する少なくとも一の回転軸まわりの選択的回転と、によって前記Ｘ線源及び前記撮像素子の移動を可能にするマニピュレータを提供し、
関心のあるサブボリュームに関するパノラマ層画像に対して一の角度をなすスライスを生成する照射プロファイルプログラムを作成し、
前記プロファイルは、β／α＞２．１の関係を満足する角度範囲βで前記Ｘ線撮像素子に投影された、前記関心のあるサブボリューム内の、前記点の大部分を有することによって定義される（ここで、αは、前記Ｘ線焦点から見たときの前記Ｘ線撮像素子の角度である）
ことを特徴とする方法。
【請求項２３】
局所的な３Ｄ容積測定画像を得るために、口外歯科用Ｘ線撮像を実行する方法であって、
ａ）撮像される対象物にＸ線を照射するＸ線源を用い、
ｂ）前記照射の少なくとも一部の期間における複合的な放射された画像フレームの生成に適するＸ線撮像素子であって、ｍ／ｎ≧１．５である長寸法ｍ及び短寸法ｎの活性領域を有するＸ線撮像素子を用い、
ｃ）前記照射中に、連続した放射されたフレームの間のパスに沿って、前記撮像素子を移動するマニピュレータであって、選択的平行移動と、前記Ｘ線源の焦点及び前記Ｘ線撮像素子間に位置する少なくとも一の回転軸まわりの選択的回転と、によって前記Ｘ線源及び前記撮像素子の移動を可能にするマニピュレータを用い、
ｄ）前記対象物の関心のあるサブボリュームに関する局所的な３Ｄ容積測定画像を生成する照射プロファイルプログラムを用い、
前記プロファイルは、β／α＞２．１の関係を満足する角度範囲βで前記Ｘ線撮像素子に投影された、前記関心のあるサブボリューム内の、前記点の大部分を有することによって定義される（ここで、αは、前記Ｘ線焦点から見たときの前記Ｘ線撮像素子の角度である）
ことを特徴とする方法。
【発明の詳細な説明】
【技術分野】
【０００１】
関連出願の相互参照
本出願は、参照することにより本書に組み込まれ、且つ本出願が一部継続米国非仮出願特許出願である２００８年３月１３日に出願された先の同時係属米国特許出願Ｎｏ．１２／０７６，０３９の利益を受ける３５  Ｕ．Ｓ．Ｃ  １２０条を主張する。
【０００２】
本発明は、歯科用口外撮像システムの分野に関する。より詳細には、本発明は、パノラマ歯科用Ｘ線撮像システム及びコンピュータ断層撮影（「ＣＴ」）歯科用Ｘ線撮像システムに関する。
【背景技術】
【０００３】
デジタル口外歯科用Ｘ線撮像システムは、主に二つのカテゴリに分類できる。第１のカテゴリは、平らな二次元画像を生成する二次元撮像システムである。このカテゴリは、パノラマ式、横断及び頭部計測撮像を含む。第２のカテゴリは、三次元画像を生成するいわゆる容積測定撮像（ｖｏｌｕｍｅｔｒｉｃ  ｉｍａｇｉｎｇ）システムからなる。これらは通常コンピュータ断層測定（ＣＴ）システムと称される。
【０００４】
実際のシステムは、一以上の様式を有することが可能であるので、単一のシステムが、パノラマ撮像素子と容積測定撮像素子との両方の撮画手段を提供できる。
【０００５】
平面撮像システムの画像は、二種類の分解能を有する。即ち、撮像素子の二軸に沿った（夫々「幅」及び「高さ」）画像空間分解能と、深さ方向の分解能（即ち、撮像素子の撮像層（ｉｍａｇｉｎｇ  ｌａｙｅｒ）に垂直）である。
【０００６】
空間分解能は、撮像素子のピクセルのサイズ、撮像素子の固有変調伝達関数（即ち、ボケの関数）、機械的動作の正確性、及びＸ線源の特徴に依存する。通常、撮像素子のピクセルのサイズの対象物を見ることができる。即ち、１００ミクロンピクセルサイズの撮像素子は１００ミクロン幅の対象物を分解できる。
【０００７】
平面Ｘ線撮像システムは、単一の平面画像に投影された撮像される対象物の全ての中身（ｃｏｎｔｅｎｔ）を有する画像を生成する。これは、視界の中の対象物の特徴の全てが、センサからの実距離に関係なく画像上に見られることを意味する。多くの場合、選択された関心領域外の特徴又は対象物の効果を取り除く必要がある。例えば、パノラマ画像においては、背骨の影は取り除くべきである。深さ分解能は、画像において完全に焦点が合わされたプロジェクションを有する領域がどれくらい小さいかを意味する。この領域外のその他の領域は、ぼやけて見えるか又は完全に消えてしまう。深さ分解能は、移動方向に沿ったセンサの幅、実際の移動の軌道及び撮像素子の空間分解能に主に依存する。空間分解能と深さ分解能との差は、ほぼ、撮像される対象物の任意の点が見える角度範囲だけに依存する。角度範囲が大きくなるほど、深さ分解能はより良好となる。即ち、より小さい対象物を深さ方向に分解できる。上記パノラマ撮像を実行する口外システムを考慮して、センサは典型的には幅が狭く長いが、フレームを生成せず、横方向の（ｔｒａｎｓｖｅｒｓｅ）スライスを行えない。二つの目的を兼ねた口外システムは、ｍ／ｎが１に等しいか又は非常に近いある種の平面パネルである第２のセンサを有する。但し、ｍは平面パネルの長さであり、ｎは幅である。平面パネルの長さ及び幅は、大抵の歯科用口外撮像システムにおいて、通常５ｃｍから２０ｃｍの範囲である。
【０００８】
ある種の、通常はＣＣＤセンサでデジタル化された従来型パノラマＸ線撮像システム（ｐａｎｏｒａｍｉｃ  ｘ−ｒａｙ  ｉｍａｇｉｎｇ  ｓｙｓｔｅｍ：ｐａｎ）は、過去１５年間にわたって存在してきた。このような従来型又は標準的な歯科用パノラマＸ線撮像システムは、人の頭蓋骨全体の線形なプロジェクションを生成する頭部（ｃｅｐｈａｌｏｍｅｔｒｉｃ：ｃｅｐｈ）アームを含むように構成もできる。有用ではあるが通常歯科医に対してかなりのコストを加えてしまうｃｅｐｈアームの有無にかかわらず、主に矯正歯科医がパノラマシステムを用いる。
【０００９】
高度なｐａｎシステムは、通常小さい平面パネルである第２のセンサを含んできた。そのようなものは、通常、１０ｃｍ２から３０ｃｍ２までの大きさを有するＣＣＤタイプの平面パネルである。例えば、そのようなシステムはＵＳ２００６／０２３３３０１Ａ１に記載されており、二つのセンサが隣り合っている。第１のセンサは、パノラマセンサであり、第２のセンサは、平面パネルである。平面パネルが、少なくとも１８０度の回転を主に含んだＣＴ移動プロファイルとともに用いられる際に、容積測定３Ｄ画像が生成される。第２のセンサは、横方向のスライス画像、即ち、パノラマ層に対しておよそ直角に、実質的に線形移動の画像を生成するために用いることもできる。デュアルセンサを備える幾つかのそのようなシステムは、今日、市場で入手可能である。第２のセンサを追加すると、システムは医師にとってより高価なものになってしまう。更に、ｃｅｐｈアームは、ｃｅｐｈ画像を望む医師に未だ必要とされている。従って、完全なシステムは、パノラマ画像を作成する第１のセンサと、横方向のスライス及び／又は３Ｄ画像を作成する第２のセンサと、ｃｅｐｈ画像が必要とされる場合にパノラマセンサがスナップ式として取り付けられるｃｅｐｈアームとを必要とするであろう。
【００１０】
高度なｐａｎシステムを凌駕する、広域平面パネルを備えた非常に高価な歯科用ＣＴシステムが存在する。これらの平面パネルは正方形であり、１００ｃｍ２よりも大きな活性領域を有する。このようなシステムは、医師にとっては１０万ＵＳＤから２０万ＵＳＤの範囲の費用がかかる。従って、この値段は多くの個人開業医にとって脅威となる。このようなシステムは、インプラント学者や大規模な診療所によって現在用いられている。更に、歯科用ＣＴシステムは、必要とされるパノラマ画像、横方向のスライス及び３Ｄ体積の全てを生成する能力を有するが、基本的又は標準的なパノラマ画像の品質は、５倍も安価である標準的な歯科用ｐａｎシステムで生成されたパノラマ画像の品質よりもかなり悪い。従って、横方向のスライスや３Ｄ画像だけでなく優れた品質のｐａｎ画像を望む医師は、非常に高価な歯科用ＣＴシステムと、更にｐａｎシステムとを購入しなければならないであろう。歯科用ＣＴシステムで良質のｐａｎ画像を生成できない理由は、用いられる平面パネルの面積が大きく、フレームレート速度が３０ｆｐｓを超えずに低いからである。そのような低速度では、ＣＴシステムは、標準的なｐａｎ照射を行うことができず、画像はぼやけてしまう。
【発明の概要】
【発明が解決しようとする課題】
【００１１】
従って、解決しようとする課題が存在する。即ち、構造がより簡潔で安価であり、少なくとも二つの異なる機能を提供できる歯科用口外Ｘ線撮像システムである。
【００１２】
一の解決方法が、本発明の譲受人に譲渡された米国出願１１／２７７，５３０に提案された。１１／２７７，５３０によれば、たった一度のパノラマプロファイル照射で、標準的なパノラマ画像、幾つかの非標準的なパノラマ層、横方向のスライス及び有限体積の３Ｄ画像さえも与える歯科用の極上のＸ線撮像システムが提供される。このようなシステムは明らかに、単一センサ及び単一の照射プロファイル、即ちパノラマプロファイルを用いて、必要とされる歯の画像の大部分を提供するという点で独特である。しかしながら、本発明の発明者達は、実際には、パノラマプロファイルが、Ｘ線源及び撮像素子が、準最適な（ｓｕｂ−ｏｐｔｉｍａｌ）又は非常にぼやけた又は使用に適さない（パノラマ層に対する）横方向のスライスと、もっとひどい３Ｄ画像とを除いた、最適なパノラマ画像を生成するようなパス内の、あるパスに沿って移動することができるように、特に設計されていることを認識している。更に、１１／２７７，５３０は、ｃｅｐｈタイプの画像、即ち人の頭蓋骨又はその一部の線形なプロジェクションの提供に関する問題に沈黙している。
【課題を解決するための手段】
【００１３】
本発明の一の態様によれば、撮像される対象物にＸ線を照射するＸ線源と、前記照射の少なくとも一部の期間における複合的な（ｍｕｌｔｉｐｌｅ）フレームの生成に適する単一Ｘ線撮像素子であって、ｍ／ｎ≧１．５である長寸法ｍ及び短寸法ｎの活性領域を有する単一Ｘ線撮像素子と、前記照射中に、連続した放射された（ｒａｄｉａｔｅｄ）フレーム間のパスに沿って、前記撮像素子を移動するマニピュレータであって、選択的平行移動と、前記Ｘ線源の焦点及び前記Ｘ線撮像素子間に位置する少なくとも一の回転軸まわりの選択的回転と、によって前記Ｘ線源及び前記撮像素子の移動を可能にするマニピュレータと、を備える口外歯科Ｘ線撮像システムが存在する。前記口外歯科Ｘ線撮像システムは、関心のあるサブボリュームの、局所的な３Ｄ容積測定画像、又はパノラマ層画像に対して一の角度をなすスライスを生成する、少なくとも一つの照射プロファイルプログラムを有する。前記プロファイルは、照射中に、前記関心のあるサブボリュームの中の点の大部分が、β／α＞２．１の関係を満たす角度範囲βで前記Ｘ線撮像素子に投影されることを特徴とする（但し、αは前記Ｘ線焦点から見たときの前記Ｘ線撮像素子の角度、即ち、センサの開口角）。
【００１４】
本発明では、照射プロファイルは、パス又は軌道である。該パス又は軌道に沿って、あご及び歯を含む、人の頭の一部又は全部を放射線に曝すために、Ｘ線源及びイメージングが移動する。照射プロファイルは、該プロファイルの一部の期間でのみ人の頭がＸ線に曝されればよいので、連続的にＸ線が放射される必要はない。Ｘ線管はＡＣ又はＤＣタイプでよく、Ｘ線はパルス方式で放射されてよい。Ｘ線源及び撮像素子は、互いに一定の配置（ｆｉｘｅｄ  ｇｅｏｍｅｔｒｙ）で取り付けられてよく、或いは、まれに配置は可動式機械部によって変化してよい。
【００１５】
本発明の第２の態様によれば、撮像される対象物にＸ線を照射するＸ線源と、照射の少なくとも一部の期間における複合的なフレームの生成に適するＸ線撮像素子であって、ｍ／ｎ≧１．５の関係である長寸法ｍ及び短寸法ｎの活性領域を有するＸ線撮像素子と、照射中に、連続した放射されたフレーム間のパスに沿って、前記撮像素子を移動させるマニピュレータであって、選択的平行移動と、Ｘ線源の焦点及びＸ線撮像素子間に位置する少なくとも一の回転軸まわりの選択的回転と、によって、Ｘ線源及び撮像素子の移動を可能にするマニピュレータと、を備える口外歯科用Ｘ線撮像システムが存在する。前記口外歯科用Ｘ線撮像システムは、前記撮像される対象物の少なくとも一部の実質的に線形なプロジェクションを生成する照射プロファイルプログラムを有する。該プロファイルは、少なくとも二つの実質的に線形なセクションを備える。線形なプロジェクションは、好ましくは人の頭蓋骨の頭部画像（ｃｅｐｈａｌｏｍｅｔｒｉｃ  ｉｍａｇｅ）である。
【００１６】
本発明の第３の態様によれば、単一センサを用いて且つｃｅｐｈアームを用いずに、パノラマプロジェクション画像に加えて頭部プロジェクション画像を得るためには、撮像素子までのＸ線源の焦点の距離は、１．５ｍよりも短く、好ましくは０．７ｍ（７０ｃｍ）よりも短い。最も近い撮像される対象物／頭蓋骨の面までの撮像素子の距離は、わずか２０ｃｍであり、好ましくはわずか１０ｃｍである。
【００１７】
本発明は、少なくともパノラマ層画像を生成する多機能であるが、複数の横方向のスライス、即ち、パノラマ層画像の関心のある容量に対して一の角度をなす一のスライスに対応する複数の画像、を生成する複数の照射プロファイルを有する、歯科用口外Ｘ線撮像システムを開示する。本発明は、加えて又は代えて、従来のｃｅｐｈアームを用いることなく、人の頭蓋骨又はその一部の線形な頭部プロジェクションを生成できるシステムも開示する。
【００１８】
Ｘ線源及び撮像素子は両方とも、好ましくは、マニピュレータの制御下において選択的に平行移動及び選択的に回転される、機械的なパイ（Π）形状構造物に取り付けられる。これは、例えば、二以上のモータ、即ち、Ｘ方向に移動する一のモータと回転するその他のモータと、によって達成できる。より好ましくは、このシステムは三つのモータを有し、そのうちの二つはＸ，Ｙ方向における平行移動を提供し、三番目のモータは回転する。
【００１９】
モータの組み合わせと制御部（通常ＣＰＵ又はＥＰＲＯＭ）は、Ｘ線源及び／又は撮像素子の移動を操るので、マニピュレータと称される。マニピュレータは、幾つかの照射プロファイルを実施するように予めプログラムされてよい。これは、異なる複数のプログラムは、異なる複数の照射プロファイルに対応することを意味する。また、照射プロファイルは、Ｘ線源及び／又は撮像素子が照射中に移動するパスである。
【００２０】
撮像素子は、線形タイプであり、ｍ／ｎ≧１．５、より好ましくはｍ／ｎ＞３、更に好ましくはｍ／ｎ＞６であるような、長寸法（ｍ）及び短寸法（ｎ）を有する。細長い直線形状の長方形となる撮像素子の選択は、非常に重要である。なぜなら、そのような撮像素子（センサ）は、毎秒５０フレーム（５０“ｆｐｓ”）、より好ましくは１００ｆｐｓ、よりも早い、更に好ましくは１５０ｆｐｓから５００ｆｐｓの範囲にある、高フレームレートで動作できるからである。細長く、高速の撮像素子のために、本発明は、低コストを保ちながら、非常に高品質のパノラマ画像を生成する（高速のため）。好ましくは、撮像素子はＣｄＴｅ−ＣＭＯＳ（カドミウムテルル化合物−ＣＭＯＳ）又はＣｄＺｎＴｅ−ＣＭＯＳ（カドミウム亜鉛テルル化合物）である。このような撮像素子は、優れた検出効率及び優れた分解能と、高速性とを組み合わせる。
【００２１】
先行技術における従来型の歯科用横方向撮像素子は、回転を全く又はほとんどせずに、高価な広域撮像センサ及びほぼ線形な移動プロファイルを用いている。本発明に従うシステムは、上述のように、線形で、安価で、リアルタイムフレーム出力に起因して早い撮像素子を用い、照射中に、Ｘ線源及び撮像素子をパスに沿って移動する。該パスは、関心のあるサブボリュームの中のほぼ全ての点が、β／α＞２．１の角度範囲における異なる複数の角度からＸ線撮像素子に投影されるような、選択的平行移動と選択的回転との組み合わせである。ここで、αは、Ｘ線焦点から見たＸ線撮像素子の角度である。このようにして、撮像素子によって生成されたフレームは、パノラマ層に対して一の角度をなすスライスの画像を再構築するアルゴリズムを実行するプロセッサによって用いられる。
【００２２】
代えて又は加えて、線形撮像素子及びＸ線源は、別の照射プロファイルにおいて、撮像素子上に人の頭蓋骨の半分を投影する近接する線形のパスに沿って移動でき、次に、部分的平行移動及び部分的回転によって、人の頭蓋骨の残り半分に対して再配置でき、次に、人の頭蓋骨の残り半分における第２の実質的に線形なプロジェクションを生成するための照射を継続できる。そして、二つの実質的に線形の照射中に撮像素子によって生成された複数のフレームは、従来の頭部画像に相当する又は等しい、人の頭蓋骨の完全な実質的に線形なプロジェクションを生成するために、アルゴリズムを用いるプロセッサにおいて、結合される。
【００２３】
本発明の利点は多い。即ち以下の通りである。
−第１に、歯科開業医によって要求される幾つかの又は異なる複数の機能画像を生成するために、単一の線形且つ安価なセンサを備える単一システムが用いられる。
−パノラマ画像のほかに（パノラマ画像に対して）横方向の画像及び頭蓋骨線形なプロジェクションもまた、全て優れた品質であり、どの画像にも支障を来さない。
−このシステムは、ｃｅｐｈアームを備えた従来の高性能パノラマシステム又は歯科用ＣＴシステムよりも非常にコンパクトである。
【００２４】
本発明の好適な実施例における好適な撮像素子は、ＣｄＴｅバンプ接続ＣＭＯＳ又はＣｄＺｎＴｅバンプ接続ＣＭＯＳ直接変換であるが、ｍ／ｎ≧１．５である他のフレーム生成撮像素子を、本発明の範囲から逸脱することなく、用いることができる。例えば、ナノ蛍光体間接変換検出器はＣＭＯＳ又はＣＣＤと結合でき、撮像素子として用いることができる。或いは、レギュラー蛍光体又はシンチレータを用いることもできる。或いは、ＣＭＯＳ、ＣＣＤ又は平面パネル上に塗布され、エピタキシャルに成長したＣｄＴｅ及びＣｄＺｎＴｅを用いることができる。或いは、フレーム生成ＣＣＤ、他のタイプのＣＭＯＳセンサ又は平面パネルを用いることができる。
【００２５】
さらに、本発明の他の好適な実施例において、我々は、対象物の関心領域の部分的ＣＴ又は部分的３Ｄ画像を実行する口外歯科用Ｘ線撮像システムを提供する。該口外歯科用Ｘ線撮像システムは、ａ）照射中に対象物を撮像できるように、該対象物にＸ線を照射するＸ線源と、ｂ）前記照射中の少なくとも一部の期間における複合的な放射された画像フレームの生成に適する単一のＸ線撮像素子と、ｃ）前記照射中に、複数の放射された画像フレームに対応する複数の位置の間のパスに沿って、撮像素子及びＸ線源を移動するマニピュレータであって、選択的平行移動と、Ｘ線源の焦点及びＸ線撮像素子間に位置する少なくとも一の回転軸についての選択的回転と、によって、Ｘ線源及び撮像素子の両方の移動を可能とするマニピュレータと、ｄ）前記関心領域の部分的ＣＴ又は３Ｄ画像を生成する照射プロファイルプログラムと、を備え、プロファイルは、前記照射中の少なくとも一部の期間において、回転に係る前記軸が軌道に沿って移動可能であることを特徴とする。
【図面の簡単な説明】
【００２６】
【図１ａ】先行技術に係る標準的な又は従来型のパノラマＸ線撮像システムを示す模式図である。
【図１ｂ】先行技術に係るＸ線源及び撮像素子が移動するパスを示す、標準的なパノラマ照射プロファイルに対応する標準的なパノラマプログラムの模式図である。
【図２ａ】先行技術に係るｃｅｐｈアームを含む標準的な又は従来型のパノラマＸ線撮像システムを示す模式図である。
【図２ｂ】先行技術に係るＸ線源及び撮像素子が移動するパスを示す、標準的なｃｅｐｈ照射プロファイルに対応する標準的なｃｅｐｈプログラムの模式図である。
【図３ａ】先行技術に係る第２の又は別個の平面パネルセンサを含む標準的な又は従来型のパノラマＸ線撮像システム或いは歯科用ＣＴＸ線撮像システムを示す模式図である。
【図３ｂ】先行技術に係るＸ線源及び平面パネル撮像素子が移動する線形パスを示す、標準的な横方向の照射プロファイルに対応する、歯科用口外撮像システムにおける標準的な平面パネルプログラムの模式図である。
【図３ｃ】先行技術に係るＸ線源及び平面パネル撮像素子が移動するほぼ線形なパスを示す、先行技術の標準的な横方向の照射プロファイルに対応する歯科用口外撮像システムにおける標準的な平面パネルプログラムの模式図である。
【図４】先行技術に係るＸ線源及び平面パネル撮像素子が移動するパスを示す、標準的な歯科用ＣＴ照射プロファイルに対応する標準的な平面パネルＣＴプログラムの模式図である。
【図５】本発明に係る角度α及びβの関係を示す模式図である。
【図６ａ】本発明に係る横方向のスライス画像を生成するための関心のある容量に対して横方向の照射プロファイルに対応する横方向のプログラムの模式図である。
【図６ｂ】本発明に係る歯科用口外Ｘ線撮像システムにおける撮像素子によって生成される複数のフレームから一の横方向の画像を再構成するプロセッサによって用いられるアルゴリズムのフローチャートである。
【図７】本発明に係る人の頭蓋骨の少なくとも一部の線形なプロジェクション画像を生成するための線形な照射プロファイルに対応する、ほぼ線形なプロジェクションプログラムの模式図である。
【図８ａ】本発明に係る歯科用口外Ｘ線撮像システムにおける撮像素子によって生成される複数のフレームから一の頭部プロジェクション画像を再構成するプロセッサによって用いられるアルゴリズムのフローチャートである。
【図８ｂ】頭部の又は線形なプロジェクションを得るための本発明に係るデータ収集における配置を示す図である。
【図８ｃ】本発明に係る頭部の又は線形なプロジェクションを得るための、複数の層の再スケーリング及び加算を模式的に示す図である。
【図９ａ】先行技術に係る回転の固定軸を用いる再構成可能領域の例を示す図である。
【図９ｂ】本発明に係る螺旋パスを用いた回転の非固定軸を用いる再構成可能領域の例を示す図である。
【図１０ａ】本発明に係る再構成可能領域のサイズの例を示す図である。
【図１０ｂ】先行技術に係る再構成可能領域のサイズの例を示す図である。
【図１１ａ】本発明に係る関心領域を再構成するために用いられるアルゴリズムの例のフローチャートを示す図である。
【図１１ｂ】本発明に係る関心領域を再構成するために用いられるアルゴリズムの例のフローチャートを示す図である。
【図１２ａ】本発明に係るシステムにおいて、関心領域の部分的ＣＴ又は部分的３Ｄを実行する照射プロファイルにおいて回転軸が移動できるその他の軌道を示す図である。
【図１２ｂ】本発明に係るシステムにおいて、関心領域の部分的ＣＴ又は部分的３Ｄを実行する照射プロファイルにおいて回転軸が移動できるその他の軌道を示す図である。
【図１２ｃ】本発明に係るシステムにおいて、関心領域の部分的ＣＴ又は部分的３Ｄを実行する照射プロファイルにおいて回転軸が移動できるその他の軌道を示す図である。
【図１２ｄ】本発明に係るシステムにおいて、関心領域の部分的ＣＴ又は部分的３Ｄを実行する照射プロファイルにおいて回転軸が移動できるその他の軌道を示す図である。
【発明を実施するための形態】
【００２７】
本発明の好適な実施例について論じる前に、先行技術について検討する。
【００２８】
図１ａに、先行技術の標準的なパノラマＸ線撮像システムを示す。支柱（１）は、Ｘ線管（２）を一端に備え、ＣＣＤ、即ちライン出力ＣＣＤセンサ（３）を他端に備えたパイ（Π）形状アセンブリを支持する。支柱（１）内部のマニピュレータは、Ｘ線管（２）及びＣＣＤセンサ（３）のアセンブリの移動を制御する。マニピュレータは、通常、一つ以上のモータを備える。標準的には、一つ又は二つのモータが存在し、まれに、三つのモータが存在する。制御パネル（５）は、必要とされるＸ線照射値（ｋＶ、ｍＡ）の入力、及びパノラマプロファイルの選択に用いられる。画像は、パーソナルコンピュータ（４）にデジタル接続された状態で出力される。
【００２９】
先行技術における標準的なパノラマ画像プロファイルの構成要素は、図１ｂに示される。Ｘ線源（４０１）及び通常ＣＣＤセンサである撮像素子（４０２）は、デフォルト焦点層（トラフ）（４０５）の画像を生成するために回転且つ平行移動する。このような移動は、特定の軌道（４０３）に沿っている。このプロファイル（４０３）の目的は、理想又はデフォルト焦点層（４０５）の平面像を形成することである。深さ分解能は、平面像に沿って異なるが、照射の初めと終わり（臼歯）において３０ミリメートル程度であり、最高は、中間部（４０４）（前歯）において３ミリメートル程度である。
【００３０】
図２ａは、パノラマ画像化と既知の頭部撮像を組み合わせた、先行技術の口外歯科用Ｘ線撮像システムを模式的に示す。このようなシステムの構成要素は、Ｘ線源（１２）と、撮像センサ装置（１３）と、「ｃｅｐｈアーム」（１６）を含む機械式マニピュレータ（１１）と、ユーザコントロール（１５）と、画像を処理及び表示するためのコンピュータ又はプロセッサ（１４）とである。撮像センサ装置（１３）は、頭部計測位置（図２ａ）とパノラマ位置（図１ａ）との間を移動でき、通常「スナップオン」センサと称される。
【００３１】
先行技術における標準的なスキャンデジタル頭部システムは、図２ｂに示すような照射プロファイルで動作する。Ｘ線源（１２）は、プロファイルである所定パス（１８）に沿って平行移動及び回転する。一方、撮像素子（１３）は、平面（８）を横切った全頭蓋骨の半（ｓｅｍｉ−）又は実質的に線形なプロジェクションを形成するように患者（１９）を撮像しつつ、プロファイルであるパス（７）に沿って移動する。Ｘ線源の焦点から撮像素子（１９１）までの距離は、幾何学的歪みを減じるほど大きく、大抵の場合１．５ｍよりも大きく、通常１．５ｍから２．５ｍである。加えて、センサは、横方向に伸びて大きなスペースを割く、個別の「ｃｅｐｈ」アーム（１６）（図２ａ）に位置付けられる。このような遠い距離は、撮像された対象物の各種部分における異なる倍率に起因する幾何学的歪みを回避又は軽減するためにＸ線を平行又はほぼ平行にするために必要とされる。
【００３２】
先行技術において、平面四角形パネルである第２のセンサ又は平面四角形パネルである一のセンサのみを備えた歯科用口外Ｘ線撮像システムも存在する。このようなデュアルセンサシステムは図３ａに示されており、横方向のスライス及び／又は歯科用ＣＴ画像を生成するためのものである。支柱（２１）は、上述のように、ＣＣＤパノラマセンサ（２３）及びＸ線管（２２）のパイ形状アセンブリを支持する。ＣＣＤパノラマセンサ（２３）は、平面四角形パネルセンサ（２６）と交換できる。支柱（２１）内部のマニピュレータは、一つ、二つ又は三つのモータを通常有しており、アセンブリをＸ，Ｙ方向に移動させるとともに、回転させる。通常デジタル式のコントローラ（２５）は、ｋＶ、ｍＡ範囲を設定又は選択するとともに、各種のプロファイル、即ち移動パスを選択する。コンピュータ又はプロセッサ（２４）は画像を処理及び表示するために設けられる。
【００３３】
図３ｂは、先行技術に係る平面パネルを用いる口外歯科用撮像システム、即ち、実質的に線形移動を用いて、横方向のスライスを生成するための典型的プロファイルを示す。図は、水平方向ＸＹ平面における配置を示す。この移動は、Ｚ方向（図のＸＹ平面に垂直）成分もありうるが、基本的な考え方は同じである。この場合、撮像される点（１０２）の角度視野（ａｎｇｕｌａｒ  ｖｉｅｗｉｎｇ）範囲βは、センサの開口角（α）に等しい。即ち、α＝β、又は言い換えればβ／α＝１。図は、Ｘ線源（１０１）、第１の位置（１０３）における撮像素子、撮像される点（１０２）、並びに、図に示すように直線である第２の位置（１０４）におけるＸ線源と撮像素子の両方の移動軌道を示す。実線は、移動後の配置を指しており、破線は移動前の配置を指す。典型的な平面四角形パネルのサイズが大きいため、視野角βは、上記に与えられた関係を満たす。典型的な平面パネルのサイズは、１０ｃｍ×１０ｃｍ又は２０ｃｍ×２０ｃｍである。２０ｃｍ×２０ｃｍ平面パネルの場合に、平面パネルまでの焦点距離が通常５０ｃｍである場合は、β／α＝１であって、β＝α＝２×ｔａｎ−１（１０／５０）＝２２．６度という意味である。この視野角は、横スライスの深さ方向において非常に良好な分解能であると考えられる厚さ０．５ｍｍ−３ｍｍの横方向の又は角度のついたスライスを生成するのに十分である。平面パネルを用いた線形移動のプロファイルの場合は、常にβ／α＝１であり、また平面パネルは大きいので、視野角βは、通常、十分に薄い横方向のスライスを生成できる程度に十分大きい。しかしながら、解決すべき課題は、以下の通りである。即ち、ａ）平面パネルは高価である。ｂ）平面パネルは良好な横方向のスライス画像を作成できるが、残念ながら、分解能の低いパノラマ画像を生成する。これが、パノラマ及び横方向のスライスプロファイルの提供を目指すシステムが二のセンサを有する理由であり、口外歯科用撮像システムの複雑さと費用を増加させてしまう。
【００３４】
図３ｃは、長さｍ、幅ｎの平面パネル検出器を用いることによって先行技術で周知のような標準的な横方向のスライス照射プロファイルを示す。このような平面パネルは、ｍ／ｎが実質的に１に等しい（即ち、ｍ／ｎ＝１）という関係を有する。通常、平面パネルは、β／α＝１である線形走査を実行する。平面パネルのサイズが１０ｃｍ×１０ｃｍである場合や、又は５ｃｍ×５ｃｍと小さい場合がある。このような場合には、より広い視野角を可能とする一連の線形走査がある。これを図３Ｃに示す。図３Ｃに示す先行技術によれば、Ｘ線源（５０１）及び撮像素子（５０２）は、関心領域（５０４）のまわりで実質的に線形な平行移動を実行する。軌道又はプロファイル（５０３）は、デフォルト焦点層（５０５）を横切った横方向のスライスである平面像（５０６）を形成するのに十分である。
【００３５】
いかなる場合にも、５ｃｍ×５ｃｍのサイズの最小パネルにおいても、角度α＝２×ｔａｎ−１（２．５／５０）＝５．７度である。ごくわずかの横方向のスライス厚さ０．５ｍｍから３ｍｍを有するためには、視野角βは１０度以上であるべきである。これはβ／α＝１０／５．７＝１．８を意味する。従って、既知の事例の全てにおいて、横方向のスライス撮像は、ｍ／ｎ≒１の正方形又はほぼ正方形の平面パネル、及びβ／α≦１．８のパラメータで示される移動プロファイル、で行われ、ユーザは、先行技術において、適切な厚さ分解能（ｔｈｉｃｋｎｅｓｓ  ｒｅｓｏｌｕｔｉｏｎ）を有する横方向のスライスを得ている。同じセットアップは、容積測定３Ｄ撮像を実行するのに用いられる又は用いることができる。しかしながら、問題は、パノラマ撮像を実行する一のセンサ、典型的にはＣＣＤライン出力センサと、β／α≦２．６の関係を満たす一以上の線形走査を行う第２のセンサ、即ちｍ／ｎが１におおよそ等しい平面パネルとを結合させていることである。
【００３６】
標準的な口外歯科用容積測定Ｘ線撮像システムの形状及び移動の模式図を図４に示す。ここで目的は３Ｄ容積の生成である。関心領域（３０４）の複合的な画像が、プロジェクション（３０５）からキャプチャーされている間、Ｘ線源（３０１）、及びｍ≒ｎの平面パネル撮像素子（３０２）は、所与の（円形）パス（３０３）に沿って回転する。次に、これらの画像を用いて、関心領域を含む従来の水平断層撮影スライス（３０６）を再構成する。関心領域は、より小さい容積要素であるボクセルに分割される。一のボクセルのサイズは、撮像素子のピクセルサイズとは無関係に選択できる。通常、ボクセルは等方性である。即ち、ボクセルの幅及び高さは等しい。即ち、ボクセルは正方形である。しかしながら、ボクセルは不均等な大きさを有することもできる。通常、軌道（３０３）は、少なくとも１８０度の角度視野範囲を有する円形の回転である。また、関心領域の全ての点は、照射中に撮影された全ての画像に見られるべきである。これは、関心領域のサイズが撮像素子のサイズによって制限されることを意味する。
【００３７】
角度視野範囲βが少なくとも１８０度であるという条件が満たされる場合、「完全な」又は最適な容積測定復元を得ることができる。
【００３８】
出願１１／２７７，５３０は、フレーム出力センサがｍ／ｎ＞１．５の状態で用いられるＸ線撮像システムを開示する。このセンサはパノラマセンサであり、この発明の教示は、このようなセンサを口外歯科用Ｘ線撮像システムにおいてｍ／ｎ＞１．５で用いることである。よって、パノラマ層の生成に適したプロファイルに沿った一度の照射により、パノラマ層に加えて、ａ）横方向のスライス又はｂ）３Ｄ容積測定画像のうちの一方が得られるであろう。従って、１１／２７７５３０は、単一センサ及び単一プロファイル又は照射を備えた単一口外システムを教示する。しかしながら、実際には、パノラマプロファイルは、Ｘ線が横方向のスライス方向にほぼ平行となるようにされ、このようなパノラマプロファイルから横方向のスライスを生成するのは非常に困難又は不可能であり、３Ｄ容積を作成することは更に困難である。
【００３９】
従って、解決すべき課題は、ａ）良質なパノラマ画像、ｂ）良質な角度のついた又は横方向のスライス画像、ｃ）追加の「ｃｅｐｈ」アームを用いない良質な頭部画像、及びｄ）良質な局所的３Ｄ容積測定画像のうちの少なくとも二つを生成できる単一センサを備えた安価な口外歯科用撮像システムを提供することである。
【００４０】
本発明の発明者等は、ｍ／ｎ≧１．５のフレームモードセンサをプロファイルパスに沿って平行移動及び回転させる第２のプロファイルを実施する場合に、フレーム出力モードを備えた安価な線形センサを用いて、良質な横スライスを生成できることを発見した。このようなプロファイルは、β／αの適切な関係によって規定される。
【００４１】
本発明の一の態様を図５に示す。センサ（２０３）は、好ましくは長寸法ｍ及び短寸法ｎを有するＣｄＴｅ―ＣＭＯＳ又はＣｄＺｎＴｅ―ＣＭＯＳ線形センサである。但し、通常、ｍ≒１５０ｍｍ、ｎ≒６ｍｍである。即ち、ｍ／ｎ≒２５である。ＣｄＴｅ材料とは異なるその他の線形タイプのセンサを用いることもできる。センサは、通常５０ｆｐｓ−５００ｆｐｓであるフレーム出力モードで動く。Ｘ線源の焦点は（２０１）であり、通常、センサから３００ｍｍから６００ｍｍの距離にある。従って、この構成において、角度αは０．５度から１．１度の範囲にある。即ち、エンドポイント０．５と１．１を含む。良好な横方向のスライス、又はパノラマ層に対して一の角度をなすスライス、或いは関心領域の局所的３Ｄ容積測定画像を得るためには、１０度のエンドポイントを含んで、１０度から１５度以上の範囲の視野角を有するべきである。従って、β／α比は、好適な視野角範囲がβ＝１５度であるので、少なくとも１５／１．１＝１３．６である。
【００４２】
プロファイルがこの比で規定された状態で、口外撮像システムは安価な単一線形センサ上で動作でき、パノラマスライス及び横方向の又は角度のついたスライスの両方を良好な分解能で実行できる。ここで、層の厚さは５ｍｍよりも薄く、好ましくは３ｍｍよりも薄く、更に好ましくは２ｍｍよりも薄いであろう。この用語「層の厚さ」は、焦点が合ったと考えられる物理的領域の意味を有する。即ち、「層の厚さ」内に含まれた対象物は、十分な鮮明度及び明確度を備えて撮像されるが、一方「層の厚さ」外の対象物はぼやけてしまうであろう。鮮明度又はボケ度は、変調伝達関数（ＭＴＦ）で確実に測定され、例えばＭＴＦが０．１以上の場合は、鮮明な又は焦点のあった画像を示す。関心領域（２０５）は、一又は幾つかの層を含んでよい。
【００４３】
他の実施例において、ＣｄＴｅ−ＣＭＯＳセンサ（２０３）は、ｍ≒１５０ｍｍ、ｎ≒２５ｍｍ、即ち、ｍ／ｎ≒６を有する。このような場合に、焦点（２０１）とセンサ（２０３）との間の距離が再び３０ｍｍから６００ｍｍの範囲にあれば、αは、２．３度から４．７度の範囲にあり、２．３度と４．７度のエンドポイントを含む。βが少なくとも１０度の場合には、β／αは少なくとも１５／４．７＝３．２である。
【００４４】
第３の実施例において、センサ長ｍは５０ｍｍ−１００ｍｍであってよく、幅ｎ≒２５ｍｍ、即ち、ｍ／ｎ≒１．５以上である。このような場合、αは、２．３度から４．７度の範囲にあり、２．３度と４．７度のエンドポイントを含む。この場合も先と同様に、これは、β／α＞３．２の関係が、高品質のパノラマの、及び横方向の若しくは角度のついたパノラマスライス、又は関心領域の局所的３Ｄ容積測定画像に適するであろう、プロファイルを定義することを意味するだろう。β＝１０度以上でさえ、満足のいく横方向のスライス又は角度のついたスライスの厚さを実現できる。この場合、本発明によればβ／α＞２．１である。
【００４５】
角度のついたスライスプロファイル又は横方向の照射プロファイル或いは上記に規定した局所的３Ｄ容積測定画像照射プロファイルは、パノラマ層における少なくとも一の関心領域で用いることができるが、臼歯や前歯領域の個々の歯又はある領域内の歯等の、関心のある各解剖学領域に用いることもできる。本発明に係る口外歯科用Ｘ線撮像システムは、標準的なパノラマ層に対するこのような角度のついたスライス又は横方向の照射プロファイルを提供する。
【００４６】
β／α＞２．１の関係を（少なくとも）実現するためには、実質的回転成分が発明者等によって付加され、角度視野範囲βがセンサの開口角αを超えて拡張される。これを図５に示すが、これは、どのような実質的回転を用いて視野角βを増加させるかを示している。この図において、Ｘ線焦点（２０１）及び撮像素子（２０３）は、関心領域（２０５）の点（２０２）を撮像しつつ、特定軌道（２０４）に沿って回転及び平行移動する。従って、角度視野範囲βは、開口角αよりもはるかに大きい。なぜなら、αは、ｍ／ｎ＞１．５である線形又は近似線形センサに対して上記に示すように実際には非常に小さいからである。この場合の撮像工程の目的は、矢印の次元（２０６）に沿った平面像の形成である。従来技術は、本質的には正方形である平面パネルセンサと、ライン出力を備えた第２の線形センサとを必要とするが、本発明は先行技術の障害を克服し、また本発明は、フレーム出力モードで動作し且つｍ／ｎ＞１．５である単一センサとともに可能なシステムであって、少なくとも二のプロファイル、即ち、パノラマ層／画像用のプロファイルと、横方向の又は角度のついたスライスを実行する、β／α＞２．１によって規定された第２のプロファイルとを有するように更にプログラムされた口外システムを提供する。従って、口外歯科用Ｘ線撮像システムは、多機能性で経済的である。
【００４７】
角度視野範囲を増加させると、即ち、β／α＞２．１において、深さ分解能は向上する。即ち、より小さい対象物が、深さ方向においてより良好に分解できる。角度視野範囲βが大きくなるほど、深さ分解能はより良好になる。
【００４８】
本発明に開示されたような同じ口外システムは、局所的な３Ｄ容積測定画像の実行に適している。角度のついたスライス撮像及び／又は局所的な３Ｄ撮像を実施するための一のアルゴリズムが、ここで図６ａ及び６ｂを参照して提供される。
【００４９】
実質的回転角度βの一の短所は、Ｘ線の方向が、平面像（角度のついたスライス）の方向の平行方向に近づき、平面像向けに設計された標準的なアルゴリズムを用いる場合に、これが画像の幾何学的歪みを引き起こすことである。このような先行技術のアルゴリズムは、パノラマ層の再構成に用いられたものと同じであり、これらは断層撮影法又はトモシンセシス（ｔｏｍｏｓｙｎｔｈｅｓｉｓ）と称されてよい。本発明は、口外歯科用撮像システム、並びにパノラマ層に対する横方向の又は角度のついたスライスを光学的に得る方法のアルゴリズムを提供する。
【００５０】
本発明は、口外歯科用撮像システム、並びに平面及び容積測定撮像様式を結合させて、幅広い高価なセンサが必要である完全容積測定画像の計算の必要なく、ｚ方向に沿ったより良好な深さ分解能を備えた平面像を形成するアルゴリズムを提供する。加えて、局所的な３Ｄ容積測定画像は、異なる平面層から形成できる。図６ａは、本発明に係るＸ線源（６０１）と軌道（６０３）及び（６０６）に沿って移動する撮像素子（６０２）とを示す。図６ａに示すように、好適な角度のついたスライス（６１０）は、関心領域（６０４）のパノラマ層に直角である。多くの場合、各スライスは、パノラマ層にほぼ直角でありうるが、好ましくは９０度±２０度である。あるインプラント手術では、スライスの角度は、横方向と異なってよい。
【００５１】
本発明によれば、横方向の又は角度のついたスライス（６１０）を形成するために、図６に係る以下のアルゴリズムが適用される。
【００５２】
アルゴリズムは、各水平断層撮影スライスに別々に適用され、横方向のスライス又は角度のついたスライスである最終画像は、各水平断層撮影スライスにおいて選択された関心領域を垂直に積み重ねることによって形成される。
【００５３】
定義：
ｘ  ボクセル値ベクトル。各ボクセルに対して、ちょうど一つのベクトルの値がある。
ｙ  プロジェクションベクトル。全プロジェクション（フレーム）の角ピクセルは、ベクトルにおける唯一の要素を有する。これらの値は、プロジェクションにおける前記ピクセルの値に対応する。
ｚ  重み行列。この行列は、プロジェクション式がｙ＝Ｗｘの形で表現できるように、システムの配置を符号化する。
【００５４】
このアルゴリズムの第１ステップ（６５１）は、重み行列Ｗを形成することである。この行列は、全てのプロジェクションにおける全てのピクセルに対して一の行を有する（よって、行の総数は、一の水平断層撮影スライスにおける、プロジェクション数×検出器ピクセル数である）。この行列は、全てのボクセル値に対して一の列を有する（即ち、ｘのボクセル数における列数）。行列の各要素は、対応ボクセルが前記プロジェクションのピクセル値にどの程度貢献するかを示す。このステップは、装置の校正において通常実行され、通常の照射中には計算されない。
【００５５】
第２ステップは、ボクセル値ｘに対する初期推定値ｘ０（６５２）（「推量」）を作成することである。この初期推定値は、例えばトモシンセシス用分類シフト加算アルゴリズムを用いて、計算できる。初期推定値の品質は、再構成された画像の品質に影響をほとんど及ぼさないが、良好な初期推定値によって処理時間を短くできる。
【００５６】
第３ステップ（６５３）は、ｘの現在値を評価することである。これは、二乗差の合計等の適切な数学的誤差標準（ノルム）を計算することによって行われる。
【００５７】
第４ステップ（６５４）は、誤差が十分に小さいかを決定することである。誤差が十分に小さい場合は、ループは終了され、画像は第６ステップで完了される。
【００５８】
第５ステップ（６５５）は、誤差標準（ノルム）を減らすように、ｘに対する新たな推定値を計算することである。これは、例えば既知の勾配降下アルゴリズムによって計算できる。この後、アルゴリズムは第３ステップで継続する。
【００５９】
第６ステップ（６５６）は、最終画像の一の行として表示されるように、ｘにおける一のボクセル行を選択することである。通常、装置の配置に応じて最良の画質を有する一の行が存在する。加えて、複数のボクセル行を結合することで、局所的な３Ｄ画像を形成できる。
【００６０】
第７及び最終ステップ（６５７）は、最終画像の一の行を表示することである。このような画像は横方向の又は角度のついたスライスである。
【００６１】
本発明の更なる他の態様によれば、外部の長いアームを必要とせず、頭部の、即ち、実質的に線形な、プロジェクションが可能である口外歯科用撮像システムが提供される。このシステムは、先行技術を超える独特の利点をもたらす。このような利点は、高価な外部アームを備えずに単一センサを用いてパノラマ及び頭部プロジェクションを実行することである。
【００６２】
先行技術の頭部画像撮像システムの模式図を図２ａに示す。このようなシステムの構成要素は、Ｘ線源（１２）、撮像素子（１３）及び「ｃｅｐｈ」アーム（１６）を含む機械式マニピュレータ、ユーザコントロール（１５）、並びに画像を処理及び表示するコンピュータ又はプロセッサ（１４）である。図２ｂについては既に説明したが、図２ａに示した従来のｃｅｐｈシステムの典型的なプロファイル移動を示している。
【００６３】
本発明によれば、多目的口外歯科用Ｘ線撮像システムの頭部機能性、又は頭部プロファイル移動は、図７に示すように動作する。
【００６４】
人の頭蓋骨の線形なプロジェクションである頭部プロジェクションは、パノラマ照射プロファイルの実施中と同じ位置にＸ線源に対して位置する単一センサを用いて、一以上の線形又は実質的線形照射プロファイルによって実現される。Ｘ線源（９１２）の焦点と撮像素子（９１３）との間の距離は、同じ固定センサ及び固定配置を用いてパノラマ撮像も実行できるようにするために、１．５ｍよりも短くなければならず、好ましくは７０ｃｍよりも短いはずである。従って、扱いにくい「ｃｅｐｈ」アームは取り除かれ、簡素で小型の多機能性口外撮像システムが実現される。Ｘ線源（９１２）は、軌道（９１７、９１８、９１９）に沿ってプロファイルプログラムを実施する。ＣｄＴｅ−ＣＭＯＳＸ線フレーム出力センサ（９１３）は、軌道（９１４、９１５、９１６）に沿って移動し、関心領域（９２０）における高度異方性の容積測定画像を形成できる。上述のように、Ｘ線源から撮像素子までの距離は、標準的な場合と比較して小さい。センサ（９１２）とセンサに対する頭蓋骨の最も近い面との間の距離（９２６）は、各照射線形プロファイルの間、合理的に実行可能な程度に最小化又は理想的に低下される。このようにして、頭蓋骨の片側が最小ボケ又は歪みで投影されるが、他方は不均衡であり、更なる処理を用いて画像から除去又は補正できる。このような距離（９２６）は、２０ｃｍよりも短いはずであり、更に好ましくは１０ｃｍよりも短く、理想的には５ｃｍよりも短いはずである。本発明によれば、Ｘ線源の焦点から撮像素子までの距離（９２３）は、先行技術の解決法と比較して短い。（９２３）は、好ましくは１．５ｍよりも短く、更に好ましくは、パノラマ撮像に用いられる範囲である３０ｃｍ−７０ｃｍの範囲にある。
【００６５】
従って、一の機械的配置を備えて、本発明は、パノラマ及び頭部撮像の両方を達成する。これは、装置空間の無駄を大いに省き、複数又は取り外し可能なセンサの必要性を軽減させる。
【００６６】
関心領域（９２０）の容積測定画像のボクセルは、画像寸法（９２２）におけるサイズは小さいが、垂直寸法（９２１）におけるサイズは大きい。
【００６７】
Ｘ線源及び撮像素子の軌道は、３つのセグメントに分割される。即ち、第１の照射（９１４、９１７）と、Ｘ線源（９１２）及びセンサ（９１３）が再配置される非放射移動（９１５、９１８）と、第２の照射（９１６、９１９）である。二つの照射部の間に、頭蓋骨の左側及び右側が撮像される。頭蓋骨が放射線に照射されるプロファイルの二つの部分は、図７に示すように、線形又は実質的に線形である。実質的に線形なセクションは、弓部の弧までの距離（９２４）及び（９２５）が２０ｃｍよりも短く、好ましくは１０ｃｍよりも短く、更に好ましくは１ｃｍよりも短いことを意味する。「セクション」は、５ｃｍよりも長い軌道であって、従って表示される画像の再構成に用いられるデータを生成するのに十分長い軌道の一部を意味する。ここで、同様の効果を持ったその他のプロジェクションプロファイルも用いることができることも留意すべきである。例えば、共通点を備えた二つの実質的線形セクションを有する「Ｌ」形状プロジェクションプロファイルである。或いは、唯一の実質的に線形なプロジェクションを用いることができ、人の頭蓋骨の一部又は半分を投影できる。
【００６８】
照射の後、容積測定再構成アルゴリズムを用いて、撮像方向（９２２）に沿った垂直スライスを計算する。これらの垂直スライスは次に変形されて、異なる垂直スライスの異なる拡大係数が除去される。最後に、垂直スライスは互いに加えられて、一の二次元頭部測定画像が生成される。いずれの特異な再構成アルゴリズムに限定されないが、一のこのような再構成用アルゴリズムは、図８ａ、８ｂ及び８ｃに示される。
【００６９】
このアルゴリズムの第１ステップは、データ収集（８２１）である。データ収集ステップでは、複合的なフレーム及び対応Ｘ線源並びに撮像素子の位置が記録される。データ収集向けの配置を、図８ｂに示す。Ｘ線源（８０１）は、対象物における異なる複数の層（８０３）の全てを照射する。Ｘ線撮像素子（８０２）は、Ｘ線を収集し、一の画像を形成する。異なる複数の層（８０３）は、ビーム（８０４）の形状のために、異なる複数の拡大係数を有する。異なる複数の拡大係数は、ダブルヘッドの矢印（８０５）で視覚化される。Ｘ線源に近い矢印ほど短くなり、一方、撮像素子に近い矢印ほど長くなる。撮像素子（８０２）により蓄えられた画像は、これらの層全ての合計又は重ね合わせからなる。次のステップ（８２２）は、夫々個別の層の内容を復元し、一層一層に対して別個の画像を形成することである。画像は、例えば横方向の撮像に対して先に述べたアルゴリズムを用いることにより再構成できる。ここで、一の層は、撮像素子に平行なボクセルフィールドに一の平面を指す。
【００７０】
そして次のステップ（８２３）は、各個別の層画像に対して拡大倍率を計算することからなる。
【００７１】
次に（８２４）、図８ｃにおける個別の層画像（８３１）は、各個別の層に対するリスケーリング後の拡大倍率が同じであるように、バイキュービック補間法等のスケーリングアルゴリズム（８３５）を用いてリスケーリングされる。この後、サイズは異なるが拡大倍率が等しい複合的な画像が存在する。
【００７２】
最後のステップ（８２５）は、図８に示されるが、リスケールされた個別の層画像（８３２）の全てを、加算器を用いて蓄積し、最終画像（８３４）を形成することである。最終画像は、今は異なる複数の層の全ての重ね合わせであるが、本来の画像データとは逆に、これらの異なる複数の層は等しい拡大倍率を有している。よって、最終画像は、平行ビームＸ線源を用いて撮影された画像にほぼ等しく、或いはＸ線源から撮像素子の距離が長く、対象物から撮像素子までの距離が短い通常のコーンビームＸ線源を用いて撮影された画像に等しい。
【００７３】
ここで、図９ｂ、１０ａ、１１a及び１１ｂを参照して、本発明の他の好適な実施例について説明する。
【００７４】
先行技術の歯科用ＣＴ又は３Ｄシステムは、図９ａに示すように、円の移動軌道を有する。Ｘ線生成器（源）（１６０）及び撮像素子（検出器）（１６１）は、静止した回転軸を有する固定パスに沿って移動する。このシステムは通常１８０から３６０度、即ち、半周から一周回転する。ビームプロジェクションの例の幾つかを参照（１６４）として示す。回転軸（１６２）は固定され、関心領域（１６３）の中央にある。例えば、これはＵＳ６１１８８４２に記載された先行技術に係るものである。
【００７５】
この軌道は、水平平面に円形のプロジェクションを有する円柱の再構成された円弧を生成する。この円の直径は、拡大倍率（１８０度回転を仮定）で割った撮像素子の幅に等しい。或いは、いわゆるハーフビーム技術（３６０度回転を含む）が用いられる場合は、多くても拡大倍率で割った撮像素子の幅の二倍に等しい。例えば５ｃｍ幅の検出器を備えた通常のシステムでは、典型的な拡大倍率２を仮定すると、再構成された円柱に対して、多くても２＊５ｃｍ／２＝５の直径が与えられる。
【００７６】
先行技術の方法を用いた完全な再構成の必要条件は、再構成される容積内の全ての点は全てのプロジェクションに見られる、又は再構成される容積内の全ての点は０から１８０度の完全な角度範囲に見られることと仮定する。これによって、幾つかの点が、いわゆるハーフビーム技術で用いられるような幾つかの点において見えなくなる。固定回転軸（１８１）を有する軌道は、収集されるフレーム数に関わらず検出器の幅に比例する再構成可能領域（１８２）に限定される。
【００７７】
本発明によれば、パノラマ撮像の動作モードと、関心領域における部分的なＣＴ又は３Ｄ撮像の動作モードとを有する歯科用口外Ｘ線撮像システムが提供される。パノラマモードの際には、このシステムは、パノラマ軌道において動作し、部分的なＣＴ又は３Ｄモードの際には、このシステムは、従来のシステム（例えば、ＵＳ６１１８８４２）と同様に、回転軸がもはや固定されないが、移動もすることを特徴とする部分的なＣＴモードで動作するであろう。好適な実施例として、部分的なＣＴ／３Ｄモードの際の回転軸は、螺旋に沿って移動する。回転軸の螺旋軌道の例を、図９ｂに示す。この図において、Ｘ線生成器（１５０）及び撮像素子（１５１）は、円形軌道に沿って移動するが、回転軸（１５２）は、このプロットにおいては螺旋であるパスに沿って移動する。回転軸のその他の軌道は、本発明の歯にから逸脱せずに可能である。関心領域（１５３）及びサンプルビームプロジェクション（１５４）は、参照として示される。
【００７８】
図１０ａは、再構成可能領域（１７２）のサイズを、移動回転軸（１７１）を用いて大きくする方法を示す。この図において、回転軸の軌道（１７１）は螺旋であるが、その他の曲線又はパスの形状を用いることができる。本発明によれば、口外歯科用Ｘ線撮像システムは、関心領域における部分的なＣＴ又は３Ｄを実行するモードを有する。これによって、回転軸が移動する。また所望のパスを横断するのに十分な時間が与えられると仮定すると、再構成可能領域のサイズを無制限にすることができる。図１０ａ及び１０ｂは、同じスケールであり、ｘ，ｙ軸の単位はメートルである。
【００７９】
ここで、図１１ａ及び１１ｂを参照して、データの収集方法と本発明に係るシステムにおけるＣＴ又は３Ｄ画像の再構成方法とを説明するために用いられるアルゴリズムの例を提供する。
【００８０】
図１１ａは、本発明に係るデータ収集のフローチャートを示す。関心領域がユーザ（ｓ１１１）によって選択される。その後、システムは初期位置（回転軸用経路の出発点）に移動する（ｓ１１２）。次に、Ｘ線がＯＮにされ（ｓ１１３）、照射が完了する（ｓ１１５）まで、フレームが補足される（ｓ１１４）。ユニット上のマニピュレータは、Ｘ線源、撮像素子、及び捕捉フレーム間の回転軸を移動させる（ｓ１１６）。実際には、この移動は、連続的なＸ線束を用いて連続的であるが、このシステムは、パルスタイプＸ線源と非連続移動とを用いることもできる。フレームが全て捕捉された後、Ｘ線がオンにされ（ｓ１１７）、データが再構成され（ｓ１１８）、再構成された画像がユーザに表示される（ｓ１１９）。
【００８１】
図１１ｂは、ＣＰＵ、ＧＰＵ、ＦＰＧＡ、又は適当量のメモリを備えた任意のその他のプログラム可能な装置を用いて実施可能な再構成アルゴリズムの概要フローチャートを示す。先ず、カウンタの変数が、第１フレーム（フレーム＃０）を指すように初期化される（ｓ１２１）。次に、ボリュームデータに対する現在推定値は、フレーム＃ｉを構成すると予測される（ｓ１２２）。これは、フレームが全て処理されるまで繰り返される（ｓ１２３）。カウンタは、現在のフレームが処理された後に次のフレームを指すように増やされる（ｓ１２４）。
【００８２】
前方投影（即ち、２Ｄフレームに対して３Ｄ容積を投影）の全てが計算された後、現在のシミュレーションデータと収集データとの間の誤差が計算される（ｓ１２５）。そして、この誤差は、容積要素に対して背面投影される。即ち、誤差への各容積要素の寄与が計算される（ｓ１２６）。背面投影後、容積推定値（評価）が、ある更新式に基づいて更新される。最も単純なものは、各容積要素をより小さな誤差の方向に移動させることである。ＡＲＴ、統計反転、又は共役勾配のような、より高度な更新ルールも用いることができる。この更新も、バッチにおいて処理され得る更新を基準として、一コマ毎に、行われ得る。背面投影ループは、フレームが全て処理されるまで実行される（ｓ１２９）。フレームカウンタは、繰り返しの間に次のフレームに位置付される（ｓ１３０）。
【００８３】
図１１ｂのアルゴリズムは、容積推定値（評価）が受け入れられるまで繰り返される。
【００８４】
上述の発明における明白且つブレークスルーな利点は、限定活性領域におけるデジタルセンサを上記システムの一部として用いて、有用なサイズの部分的なＣＴ又は部分的な３Ｄ再構成を可能とすることである。例えば、２５ｍｍ（幅）×７５ｍｍ（高さ）＋６ｍｍ×７５ｍｍの活性領域と、軸の移動合計が２５ｍｍ（図１０ａを参照）である螺旋又は近似螺旋状の二つの回転とを備えると、図１０ａに示すように５０ｍｍの関心領域を再構成できる。３５ｍｍ程度の軸の三つの回転及び移動を備えると、８０ｍｍの関心領域を再構成できる（明確にするために、図１０ａは、二つの回転のみの例を示す）。従って、従来の歯科用ＣＴシステムでは、２５ｍｍ幅検出器は２５ｍｍ／２（倍率）＝１２．５ｍｍ再構成された容積を生成するのみであるが、一方、本発明に係るシステムでは、再構成された容積は近似螺旋軌道における二つの回転では４倍大きく、三つの回転を用いると６倍大きくなる。当然のことながら、より多くの回転を用いて螺旋を大きくすると、再構成された容積は、小さい検出器活性領域を用いて関心のある全対象物、例えば前部及び後部を再構成できる限界まで、増加する。加えて、留意すべきは、本発明の有用性が、照射プロファイル中の回転軸の移動が小さい場合でさえも実現されることである。例えば、回転軸の一ミリメートル以上の移動でさえも有利である。本発明が暗示するところは、高性能な口外歯科用Ｘ線撮像システムは、特に優れた画質、十分なサイズの再構成されたＣＴ／３Ｄ容積を手ごろな価格で提供する部分的なＣＴ／３Ｄ照射モードとパノラマ照射モードとを備えた単一センサを用いることである。このようなシステムは、高品質なパノラマ画像を大切にする矯正歯科医や、高品質なＣＴ及び３Ｄ画像を必要とするインプラント学者及び外科医の役に立つ。検出器は、Ｘ線が電子信号に直接変換されるという事実に起因して、読み出し速度、感度、鮮明な画像形成の点で明白な利点を有するＣｄＴｅ−ＣＭＯＳ又はＣｄＺｎＴｅ−ＣＭＯＳ検出器であることが好ましい。平面パネル、ＣＣＤ又はＣＭＯＳに結合されたシンチレータ等のその他の検出器の技術を用いることができる。
【００８５】
本発明の他の態様によれば、口外歯科用Ｘ線撮像システムは、Ｘ線源焦点と検出器の中間部分を結ぶ線が、照射中、回転軸の軌道に対して接線方向である、又は軌道に対する接線方向から±４５度以内であることを特徴とするＣＴ又は部分的なＣＴ照射を実行するように構成される。これは図１２ａに示される。ここで、撮像素子の中点（１９０１）とＸ線源の焦点（１９０２）とを結ぶ線は、回転軸が移動している軌道に対する部分において接線方向である。しかしながら、上述のように、接線方向から±４５度の範囲でずれがあってもよい。回転軸は螺旋に沿って移動するため、この照射プロファイルによって再構成される領域のサイズを拡大できる。Ｘ線源及び検出器の位置は、本発明の範囲から逸脱せずに交換できる。
【００８６】
上記の図面を参照して好適な実施例を提供且つ説明したが、本発明の範囲は、回転軸が部分的なＣＴ照射又はＣＴ照射中に移動するいずれの状況も包含する。回転軸の軌道は、確かに、ほぼ螺旋又は変形された螺旋であってよい。或いは、図１２ｂ、１２ｃ及び１２ｄで説明するように、再構成したい容積の大きさによっては、円の一部、円又は複合的な円を含むことができ（図１２ｂ）、「Ｓ」形状軌道（図１２ｄ）、又は「８」形状軌道（図１２ｃ）となりうる。
【符号の説明】
【００８７】
１    支柱
２    Ｘ線管
３    ＣＣＤセンサ
４    パーソナルコンピュータ
５    制御パネル
【図１ａ】
2011513017.tif 000003
【図１ｂ】
2011513017.tif 000004
【図２ａ】
2011513017.tif 000005
【図２ｂ】
2011513017.tif 000006
【図３ａ】
2011513017.tif 000007
【図３ｂ】
2011513017.tif 000008
【図３ｃ】
2011513017.tif 000009
【図４】
2011513017.tif 000010
【図５】
2011513017.tif 000011
【図６ａ】
2011513017.tif 000012
【図６ｂ】
2011513017.tif 000013
【図７】
2011513017.tif 000014
【図８ａ】
2011513017.tif 000015
【図８ｂ】
2011513017.tif 000016
【図８ｃ】
2011513017.tif 000017
【図９ａ】
2011513017.tif 000018
【図９ｂ】
2011513017.tif 000019
【図１０ａ】
2011513017.tif 000020
【図１０ｂ】
2011513017.tif 000021
【図１１ａ】
2011513017.tif 000022
【図１１ｂ】
2011513017.tif 000023
【図１２ａ】
2011513017.tif 000024
【図１２ｂ】
2011513017.tif 000025
【図１２ｃ】
2011513017.tif 000026
【図１２ｄ】
2011513017.tif 000027
【国際調査報告】
2011513017.tif 000028
2011513017.tif 000029
2011513017.tif 000030
2011513017.tif 000031
2011513017.tif 000032